(57)【要約】【課題】背もたれの組み立てが簡単でしかも美観にも優れた椅子を提供する。【手段】背もたれ６は背フレーム１４と背インナーシェル１５とを備えており、背インナーシェル１５にはクッションが張られている。背フレーム１４は正面視四角形であり、サイドメンバー２０に背インナーシェル１５が取付けられている。背フレーム１４のサイドメンバー２０は、前面板２０ａと内外の側板２０ｂ，２０ｃを備えており、前面板２０ａに背インナーシェル１５が取付けられている。そして、サイドメンバー２０において、外側板２０ｂの前後幅寸法が内側板２０ｂの前後幅寸法よりも小さくなっている。このため、背もたれ４は全体として左右側端が薄くなっており、その結果、クッション付き背インナーシェル１５と背フレーム１４とを前後に重ねたことに起因して厚ぼったく見えることが抑制される。【選択図】図１０
2008302060.tif 000002
【特許請求の範囲】
【請求項１】
座と背もたれとを備えており、前記背もたれは、着座者の体圧を受ける背板と、前記背板の裏側に配置した背フレームとを備えており、前記背フレームは、前記背板の左右側部の裏側において上下方向に延びる左右のサイドメンバーを備えている、
という椅子であって、
前記背フレームのサイドメンバーは前面と内外側面とがいずれも平坦状になっており、かつ、内側面の前後幅寸法よりも外側面の前後幅寸法が小さくなっている、
椅子。
【請求項２】
前記背フレームのサイドメンバーは金属板製であって前面板と内側板と外側板とを備えており、外側板の前後幅寸法よりも内側板の前後幅寸法を大きい寸法に設定しており、更に、前記サイドメンバーは、背面板と左右の前向き側板とを有する裏カバーで裏側から覆われており、裏カバーの背面板はサイドメンバーの内側板及び外側板の後端に当接又は密接している、
請求項１に記載した椅子。
【請求項３】
前記背フレームは、前記左右のサイドメンバーと左右横長のアッパーメンバー及びロアメンバーとで正面視略四角形に形成されており、前記アッパーメンバーとロアメンバーとは平面視で前向き凹状に緩く湾曲している一方、前記背フレームにおけるサイドメンバーの前面板は、左右外端部から内端部に行くに従って後ろ側にずれるように平面視で傾斜しており、このためサイドメンバーの前面とアッパーメンバー及びロアメンバーの前面とが滑らかに連続しており、
更に、前記背フレームのロアメンバーには、当該ロアメンバーから前向きに延びる傾動フレームに固着されており、前記傾動フレームは、脚支柱の状態に固定されたベースに後傾動可能に連結されている、
請求項２に記載した椅子。
【発明の詳細な説明】
【技術分野】
【０００１】
本願発明は、背もたれの構造に特徴を有する椅子に関するものである。
【背景技術】
【０００２】
椅子において背もたれの構造は多種多様であるが、一つのタイプとして、強度メンバーとして金属製背フレームを使用してこれにクッション付き背板等の背サポート体を取付けたものがある。背フレームの素材と形状とは様々であり、例えば特許文献１，２には、骨組みを丸パイプで構成した非ロッキング式の椅子において、背フレームをパイプで正面視略四角形に形成して、この背フレームに背サポート体を取付けると共に、背フレームを脚に取付けることが記載されている。
【０００３】
他方、ロッキング椅子は一般にベースに後傾動自在に連結された傾動フレームを備えており、この傾動フレームに背もたれを設けている。そして、特許文献３には、ベースに左右一対のパイプ製傾動フレームを連結したタイプにおいて、傾動フレームを座の後方において上向きに立ち上げることにより、当該傾動フレームに背支柱を一体に形成し、左右の背支柱を上下複数本の横長バーで連結することで背フレームを構成することが記載されている。
【特許文献１】実開昭６３−１７９８５１号公報
【特許文献２】実公平２−２８７６８号公報
【特許文献３】特開２００５−１６０８５０号公報
【発明の開示】
【発明が解決しようとする課題】
【０００４】
背フレームに背インナーシェルのような背板を直接に取り付けると、それだけ構造が簡単になる利点がある。この場合、背板を安定良く取り付けるためには、背フレームの横幅はできるだけ大きいのが好ましい。
【０００５】
背板を撓み変形可能な素材として、左右側部のみを背フレームに拘束することにより、人の体圧で背板を撓ませてロッキング時のフィット性を高めることが行われているが、この場合は、背板の撓み変形を大きくするには背板はその左右両端部を背フレームに取り付ける必要があり、従って、背フレームの左右横幅寸法をできるだけ大きくすることの必要性は特に高いと言える。
【０００６】
このように背板の左右側部を背フレームに取り付ける場合、背フレームを上下長手の左右のサイドメンバーが備えられた構成にして、左右サイドメンバーに背板を取り付けることになるが、背板にクッションが張られているとクッションはかなりの厚さがあるため、背板とサイドメンバーとが前後に重なることになり、背もたれが全体として厚ぼったく見える虞がある。さりとて背フレームのサイドメンバーを過度に薄くすると必要な強度を確保できなくなる。
【０００７】
本願発明はこのような現状に鑑み成されたものであり、背フレームの左右サイドメンバーで背板を安定良く支持できる機能は確保しつつ、体裁の悪化や強度低下を防止又は抑制せんとするものである。
【課題を解決するための手段】
【０００８】
本願発明の椅子は、座と背もたれとを備えており、前記背もたれは、着座者の体圧を受ける背板と、前記背板の裏側に配置した背フレームとを備えており、前記背フレームは、前記背板の左右側部の裏側において上下方向に延びる左右のサイドメンバーを備えている。そして、請求項１の発明は、前記背フレームのサイドメンバーは前面と内外側面とがいずれも平坦状になっており、かつ、内側面の前後幅寸法よりも外側面の前後幅寸法が小さくなっている。
【０００９】
請求項２の発明では、請求項１において、前記背フレームのサイドメンバーは金属板製であって前面板と内側板と外側板とを備えており、外側板の前後幅寸法よりも内側板の前後幅寸法を大きい寸法に設定しており、更に、前記サイドメンバーは、背面板と左右の前向き側板とを有する裏カバーで裏側から覆われており、裏カバーの背面板はサイドメンバーの内側板及び外側板の後端に当接又は密接している。
【００１０】
請求項３の発明は、請求項２において、前記背フレームは、前記左右のサイドメンバーと左右横長のアッパーメンバー及びロアメンバーとで正面視略四角形に形成されており、前記アッパーメンバーとロアメンバーとは平面視で前向き凹状に緩く湾曲している一方、前記背フレームにおけるサイドメンバーの前面板は、左右外端部から内端部に行くに従って後ろ側にずれるように平面視で傾斜しており、このためサイドメンバーの前面とアッパーメンバー及びロアメンバーの前面とが滑らかに連続しており、更に、前記背フレームのロアメンバーには、当該ロアメンバーから前向きに延びる傾動フレームに固着されており、前記傾動フレームは、脚支柱の状態に固定されたベースに後傾動可能に連結されている。
【発明の効果】
【００１１】
本願発明の椅子は、背フレームの左右サイドメンバーが背板の左右側部の裏側に配置されているため、背板の左右側部をサイドメンバーに取り付けることにより、背板の左右支持スパンを可能な限り大きく取って安定性を向上できると共に、背板を人の体圧で後ろ向きに凹むように変形させることも容易に実現でき、しかも背板はサイドメンバーに直接に取付け可能であるため構造の簡単化にも寄与できる。
【００１２】
また、サイドメンバーが特許文献３における背支柱のような丸パイプ製であると、背板との接触面積が小さいため支持安定性が弱いと共に、スペースの問題で係合穴のような背板の取付け手段を加工するのが面倒である問題があるが、本願発明では、背フレームのサイドメンバーはその前面が平坦状であるため、背板を広い面積で支持できて背板の支持安定性に優れていると共に、係合穴等の取付け手段もスペースの制約を受けることなく容易に加工できる。
【００１３】
そして、本願発明では、サイドメンバーは、左右外側面の前後幅寸法が内側面の前後幅寸法よりも小さくなっている。すなわち、サイドメンバーは左右外側の部分が薄くなっており、このため、背板と背フレームとで構成された背もたれを全体とした見た場合、背もたれの左右端面がほっそりしたような状態になっており、このため背板の裏側に背フレームを配置したことに起因して背もたれが全体的に厚ぼったく見えることを防止又は著しく抑制できる。
【００１４】
また、サイドメンバーの前後幅寸法を全体的に薄くすると必要な強度を確保できなくなる虞があるが、本願発明ではサイドメンバーの内側面の前後幅寸法が外側面の前後幅寸法より大きいため、背もたれ荷重を支持するに足りる必要な強度を確保することができるのである。
【００１５】
背フレームを素材又は加工方法から見ると、請求項１の発明は、少なくともサイドメンバーが樹脂又は金属を材料にした成形品である場合と、少なくともサイドメンバーが金属板製である場合、との２つのタイプを含んでおり、更に、後者の金属板製のものは中空品（パイプ品）と非中空品とに分けられる。そして、請求項２はサイドメンバーが非中空の板金製品であるものに適用しており、これにより、サイドメンバーは加工が容易でしかも高い信頼性を確保できるという利点がある。
【００１６】
つまり、成形品は加工能率は高いが応力分布の解析が面倒であるため設計に手間がかかるという問題があり、他方、金属パイプ品は信頼性が高いもののプレス加工による穴空けが難しいため加工能率が悪いという問題があるが、請求項２のようにサイドメンバーを金属板で溝型に形成すると、金属板の持つ高い信頼性を確保しつつ、パンチと受けダイのような型を使用したプレス加工によって曲げ加工や穴空け加工を容易に行えるのである。
【００１７】
また、請求項２では背フレームが裏カバーで覆われているため、美観においても優れている。ところで、裏カバーは背板の裏面の略全体を覆うような形態にすることも可能であるが、この場合は、裏カバーの面積が大きいことにより、全体として厚ぼったくて重たい印象を人に与える場合がある。これに対して請求項３のように裏カバーを背フレームと同じ四角形（すなわち背フレームと略相似形）に形成すると、裏カバーで囲われた内部は背板の背面が露出する空間になっているため、人に軽快でスッキリとした印象を与えることができる。
【００１８】
請求項３の発明では、傾動フレームと背フレームとは別々に製造されていて後から溶接によって固着されているため、背フレームと傾動フレームとは互いに制約を受けることなく設計の自由性が高いと共にそれぞれの加工も容易に行える。
【発明を実施するための最良の形態】
【００１９】
次に、本願発明の実施形態を図面に基づいて説明する。本実施形態は、児童・生徒が学習机とセットで使用する椅子に適用しているが、勿論、事務用椅子のような成人用の椅子にも使用できる。
【００２０】
(1).椅子の概要
まず、図１〜図５に基づいて概要を説明する。図１のうち（Ａ）は椅子を前方から見た斜視図、（Ｂ）は背もたれのみの概略平面図、図２のうち（Ａ）は正面図で（Ｂ）は側面図、図４は傾動フレーム及び背フレームの斜視図、図５はロッキング機構の一部を示す分離斜視図である。
【００２１】
椅子は、主要要素として、キャスター付きの脚１と、脚１の上端に固定したベース２と、ベース２の上方に配置された座３と、座３の後方及び上方に配置された背もたれ４と、オプション品としての肘掛け装置５とを備えている。脚１は伸長自在及び回転自在な脚支柱（ガスシリンダ）６を備えており、脚支柱６の上端にベース２が固定されている。ベース２の横幅は座３の横幅のおおよそ１／３程度である。
【００２２】
また、脚１は放射状に延びる５本の枝足７を備えており、隣り合った３本の枝足７に平面視円弧状のステップ板８を固定している。ベース２の外側には、ロッキング用ばねの弾性を調節するためのハンドル９、座３を高さ調節するに際して脚支柱６のロックを解除する昇降レバー１０、座３の前後位置を調節するに際してロックを解除する前後レバー１１が露出している。
【００２３】
図示していないが、座３は、樹脂製の座インナーシェル（座板）とその上面に張った座クッションとを備えており、座クッションは上方からクロスで覆われている。座３は例えば図２（Ｂ）に示す座アウターシェル（座受け部材）１２に固定されている。座アウターシェル１２は図示しない中間金具に前後位置調節可能に支持されており、中間金具は図２（Ｂ）に符号１３で示すカバーで左右外側から覆われている。
【００２４】
図４から理解できるように、背もたれ４は、金属板を材料として背面視（或いは正面視）四角形に形成された背フレーム１４を備えている。この背フレーム１４は背もたれ４の強度メンバーの役割を果たすもので、その前面に樹脂製の背インナーシェル（背板）１５が取付けられており、また、背フレーム１４の背面には樹脂製の裏カバー１６が取付けられている。背インナーシェル１５の前面に背クッション１７が重ね配置されており、背クッション１７と背インナーシェル１５とは袋状のクロス１８で覆われている。
【００２５】
背フレーム１４は、左右の上下長手の左右サイドメンバー２０と左右長手のアッパーメンバー２１及びロアメンバー２２とで正面視略四角形に形成されており、ロアメンバー２２には、当該ロアメンバー２２から前向きに延びる左右一対の傾動フレーム２３が溶接によって固着されている。左右の傾動フレーム２３の前端間には左右横長の第２軸２４が固着されており、また、傾動フレーム２３の前後中途部間には板材製のブリッジ材２５が固着されている。
【００２６】
図３（Ｃ）に示すように、背インナーシェル１５には撓み変形や前後方向の延び変形を容易ならしめるためのスリット１９が多数形成されている。図１（Ａ）に部分的に破断して示すように、背もたれ４において、クッション１７の外周部を伸縮性はあるが型崩れしにくい硬さの保形材１７ａで構成することにより、外周部のシャープな角張った形態を保持している（この点は座３も同じである。）。
【００２７】
背もたれ４は後傾動し、また、座３は背もたれ４の後傾動に連動して後退しつつ後傾する。この点に関して若干触れておく。図５に示すように、ベース２は上向きに開口して箱状に形成されており、その左右側板２ａには前向きに開口した切り開き溝２６が形成されており、前記した中間金具の前部に設けた左右横長の第１軸がブッシュを介して切り開き溝２６に前後スライド自在に装着されている。第１軸の後退動は、ベース２に内蔵したロッキング用ばね（図示せず）で弾性的に支持される。  
【００２８】
傾動フレーム２３は断面小判形の金属パイプ（鋼管）を使用しており、ベース２の左右両側に配置している。そして、左右傾動フレーム２３の前端部に固着した第２軸２４は、上センターブッシュ２８と下センターブッシュ２９とで上下から挟まれており、かつ、上下センターブッシュ２８，２９はセンター金具３０を介してベース２の下面に固定されている。上センターブッシュ２８はベース２に対して左右動不能に嵌まっている。
【００２９】
詳細は省略するが、前記した中間金具の後部には左右横長の第３軸が設けられており、第３軸は、左右傾動フレーム２３に架け渡し配置されたブリッジ部材２５にリアブッシュ及びリア金具で連結されている。従って、ベース２と中間金具と傾動フレーム２３とは一種のリンク機構になっており、背もたれ４がロッキング（後傾）すると、座３は背もたれ４の後傾動に連動して後退しつつ後傾する。図５に示すように、ベース２の後端と背フレーム１４の下端との間には、背もたれ４を任意の後傾角度に保持できる背用ガスシリンダ３１を配置している。背用ガスシリンダ３１はベース２と背フレーム１４とに相対回動可能に連結されている。背もたれ４の後傾動と座３のシンクロ動とは、ロッキング用ばねと背用ガスシリンダ３１とで弾性的に支持される。
【００３０】
背フレーム１４の下部の左右中間部には、背用ガスシリンダ３１を連結するための連結用突起部３２が突設されており、また、左側の傾動フレーム２３の後部には受け部材３３が固着されており、この受け部材３３には、背用ガスシリンダ３１をロック状態とフリー状態とに切り替えるレバー（図示せず）が取付けられている。
【００３１】
(2).背フレームの構造
次に、従前の図に加えて図７〜８も参照して背フレーム１４の構造を説明する。図６のうち（Ａ）は背フレーム１４と補強部材との分離斜視図、（Ｂ）は補強部材の前から見た斜視図、図７のうち（Ａ）は背フレーム１４と背インナーシェル１５との分離斜視図、（Ｂ）をストッパー係合爪を下方から見た斜視図、（Ｃ）は上係合爪を下方から見た斜視図、（Ｄ）は下係合爪の斜視図、図８のうち（Ａ）は上コーナー部の斜視図、（Ｂ）は下コーナー部の背面図、（Ｃ）は図６（Ａ）のVIIIC-VIIIC 視断面図、（Ｄ）は図６（Ａ）のVIIID-VIIID視断面図、（Ｅ）は（Ｂ）のＥ−Ｅ視断面図、（Ｆ）は（Ｂ）のＦ−Ｆ視断面図で、（Ｇ）は（Ｂ）のＧ−Ｇ視断面図である。
【００３２】
既述のとおり、背フレーム１４は、その側部を構成する上下長手の左右サイドメンバー２０と、上部を構成する左右横長のアッパーメンバー２１と、下部を構成する左右横長のロアメンバー２２との４つの主要部材を備えており、かつ、左右の下コーナー部３５には、それぞれ補強部材３６が溶接によって固着されている。各メンバーはそれぞれ鋼板を材料にした板金加工によって製造されており、隣り合ったメンバーは溶接によって一体化している。
【００３３】
各メンバー２０，２１，２２は、いずれも平坦状の前面板と側板とを有して後ろ向きに開口した断面略コ字状の溝型形状であり、このため、各メンバー２０，２１，２２の前面は広巾面になっている。また、サイドメンバー２０は、着座した人の腰部の高さ位置の箇所が最も前端となるように側面視で前向き凸状に緩い曲率で湾曲しており、他方、アッパーメンバー２１とロアメンバー２２は平面視で前向き凹状に緩く湾曲している。
【００３４】
なお、本願発明でいう「平坦状」とは、例えばサイドメンバー２０を例に取ると、平断面視で前面と内外側面とが直線か又はそれに近いプロフィールとして表れるということであり、曲がりがない平面という意味ではない。
【００３５】
各メンバー２０，２１，２２はそれぞれ前面板と内外の側板とを有して断面コ字状の溝型に形成されている（以下の説明では、サイドメンバー２０についてのみ、前面板，内外側板にそれぞれ符号２０ａ，２０ｂ，２０ｃを付している。）。各メンバー２０，２１，２２は溝型であるが、幅寸法よりも奥行き寸法は小さくなっている。
【００３６】
例えば図４から理解できるように、サイドメンバー２０の前面板２０ａは平面視で内側に行くに従って後退するように僅かの角度で傾斜しており、既述のとおりアッパーメンバー２１とロアメンバー２２とは平面視で前向き凹状に緩く湾曲している。このため、アッパーメンバー２１及びロアメンバー２２とサイドメンバー２０の前面は滑らかに連続している。
【００３７】
また、アッパーメンバー２１の前面は鉛直面に対して側面視でやや後傾し、ロアメンバー２２の前面は鉛直面に対して側面視でやや前傾している。従って、各メンバー２０，２１，２２は実際にはかなり複雑な形態になっている。背インナーシェル１５は、背フレーム１４の前面に重なるように側面視では前向き凸状に湾曲して平面視では前向き凹状に湾曲している。
【００３８】
ロアメンバー２２の前面板には左右の傾動フレーム２３の後部２７ａが貫通しており、傾動フレーム２３の後部２７ａはロアメンバー２２に溶接によって固着されている。また、ロアメンバー２２の左右両端には上向きの起立部２２ａが一体に形成されており、起立部２２ａにサイドメンバー２０の下部を溶接している（従って、正確には、背フレーム１４の左右側部の一部はロアメンバー２２の起立部２２ａによっても構成されている。）。
【００３９】
この場合、起立部２２ａの上半分程度を板厚分だけ左右内側と後ろ側とに段落ちした細幅部２２ｂとなし、この細幅部２２ｂにサイドメンバー２０の下部を重ね合わせて、そして細幅部２２ｂとサイドメンバー２０とを溶接によって一体に固着している。
【００４０】
そして、ロアメンバー２２の水平部と起立部２２ａ，２２ｂで構成される下コーナー部３５に内側から補強部材３６を嵌め入れている。補強部材３６は鋼板製でありロアメンバー２２のうち傾動フレーム２３よりも外側の部分と起立部２２ａとに重なるＬ形の形態であり、また、内外の側板３５ａを有していて前向き開口の樋状に形成されている。
【００４１】
補強部材３６の起立部はロアメンバー２２の起立部２２ａに左右ずれ不能にきっちり嵌まっており、また、側板３５ａの起立部には、ロアメンバー２２の起立部２２ａの細幅部２２ｂに対応して切欠き部５７を形成しており、このため、補強部材３６の起立部２２ａはロアメンバー２２における起立部２２ａの内底面にきっちり重なっている。
【００４２】
補強部材３６のうち水平部はロアメンバー２２の水平部にきっちり重なっており、また、補強部材３６の水平部の端面は傾動フレーム２３の後端部２７ａに横から当たっている。そして、補強部材３６とロアメンバー２２の水平部及び起立部とが溶接によって固着されていると共に、補強部材３６と傾動フレーム２３の後端部が溶接によって固着されている。
【００４３】
背フレーム１４には、ロッキングに際して図６に実線矢印Ａ及び点線矢印Ｂで示すようにねじり力が作用することがあり、このねじ力は背フレーム１４のうち下コーナー部３５に集中的に作用する。しかるに、本願発明では、補強部材３６の存在によって下コーナー部３５の剛性が格段に向上するため、高い信頼性と耐久性を確保できる。
【００４４】
起立部２２ａのうち細幅部２２ｂの下方の部位には、背インナーシェル１５の下部を取り付けるための下係合穴３７が空いている。下係合穴３７はその左右中間部に位置した下向きスリット部３７ａを備えていて略Ｔ字形になっている。サイドメンバー２０の上部には背インナーシェル１５の上部を取り付けるための上係合穴３８が空いている。上係合穴３８も下向きスリット部３８ａを有して略Ｔ字形になっている。
【００４５】
図８（Ｆ）に明示するように、サイドメンバー２０は、内側板２０ａの前後幅寸法Ｈ１を外側板２０ｂの前後幅寸法Ｈ２より大きくしている。また、図８（Ｇ）に示すように、ロアメンバー２２の起立部２２ａも、内側板２２′の前後幅寸法が外側板２２″の前後幅寸法より大きくなっている。
【００４６】
アッパーメンバー２１における前面板と下側板との左右両端面は、サイドメンバー２０の内側板２０ａに当接しており、両メンバー２１，２０の当接箇所が溶接されている。また、図８（Ａ）に明示するように、アッパーメンバー２１の上側板の左右両端部は、サイドメンバー２０の内側板２０ａの外側に突出した張り出し部２１ａになっており、この張り出し部２１ａに取付け穴３９が形成されている。
【００４７】
(3).背インナーシェルの取付け構造
次に、従前の図に加えて図９〜図１１も参照して背インナーシェル１５の取付け構造を説明する。図９は背フレーム１４と背インナーシェル１５との分離斜視図、図１０のうち（Ａ）は背もたれ４の平断面図、（Ｂ）は（Ａ）の部分的な拡大図、（Ｃ）は組立後における図９の XC-XC視断面図、（Ｄ）は組立後における図９の XD-XD視断面図、図１１のうち（Ａ）は背もたれ４の上部のみの図１０の XIA-XIA視断面図、（Ｂ）は背もたれ４の下部のみの図１０の XIA-XIA視断面図でかつ組み立て後における図９の XIB-XIB視断面図、（Ｃ）は背もたれの下部のみの図１０の XIC-XIC視断面図である。
【００４８】
背インナーシェル１５の左右両端部の背面には、上端近くに配置された側面視鉤型のストッパー係合爪４０と、その下方に配置された上係合爪４１と、下端縁近くに配置された下係合爪４２との３対の係合爪が形成されている。また、左右中間部のにセンター係合爪４３が下向きに突設されている。
【００４９】
ストッパー係合爪４０は側面視で鉤状に形態であり、背フレーム１４におけるサイドメンバー２０の前面板の上端縁に上方から嵌まっている。上係合爪４１は基本的には側面視鉤状であるが、左右中間部には縦長の壁部４１ａが背インナーシェル１５に連続した状態で一体に形成されている。そして、上係合爪４１は、サイドメンバー２０に形成された上係合穴３８に前方から嵌まって下方にスライドさせるようになっており、図１０（Ｃ）に示すように、鉤状の部分が上係合爪４１の広巾部に嵌合することで背インナーシェル１５を前向き移動不能に保持すると共に、壁部４１ａが上係合穴３８の下向きスリット３８ａに嵌まり込むことで背インナーシェル１５を左右動不能に保持している。
【００５０】
下係合爪４２は平面視Ｔ型に形成されており、下係合穴３７に前方から嵌め入れてスライドさせ、図１０（Ｄ）に示すように、下係合穴３７の下向きスリット部３７ａに落し込ませるようになっている。このため、背インナーシェル１５は下係合爪４２によって左右動ずれ不能及び前向き移動不能に保持されている。また、図１１（Ｂ）に示すように、背もたれ４に人の体圧が掛かっていない状態で、下係合爪４２は下係合穴３７の下向きスリット部３７ａの上部に位置している。
【００５１】
そして、背もたれ４に人の体圧が掛かると背インナーシェル１５は扁平な状態に向けて伸びるように変形するが、下係合爪４２が下向きスリット部３７ａに嵌まった状態で下向きにスライドすることにより、背インナーシェル１５が容易に変形することが許容されており、その結果、快適なクッション性を確保することができる。
【００５２】
センター係合爪４３は背インナーシェル１５の下部が過度に前向き動しないように保持する補助的なものであり、下端部は前向き凹状に凹んだ凹み部４３ａになっており、この凹み部４３ａを、図１１（Ｃ）に示すように、背用ガスシリンダ３１の上連結軸４４の後ろ側に位置させている。なお、上連結軸４４はブラケット４５に取付けられており、ブラケット４５は、ロアメンバー２２に設けた軸支用突起部３２にビスで固定されている。
【００５３】
(4).裏カバーの取付け構造
次に、裏カバー１６の取付け構造を従前の図に加えて図１２及び図１３も参照して説明する。図１２は背フレーム１４と裏カバー１６との分離斜視図、図１３のうち（Ａ）は背フレーム１４の上部のうち左右中間部の縦断側面図、（Ｂ）は図１０の下部の XIIIB-XIIIB視断面図である。
【００５４】
裏カバー１６は背フレーム１４と相似形の四角枠状に形成されており、背フレーム１４の各メンバーに対応してサイド部１６ａ、上部１６ｂ，下部１６ｃとで略矩形に形成されている。サイド部１６ａと上部１６ｂとはそれぞれ背フレーム１４を内外から覆う前向きの内側板１６ａ′，１６ｂ′と外側板１６ａ″，１６ｂ″とを備えており、他方、下部１６ｃは内側板１６ｃ′は備えているが外側板は備えていない。これは、通常の使用状態で背フレーム１４におけるロアメンバー２２の下面は人目に触れないからである（もちろん、下外側板を設けることは可能である。）。
【００５５】
裏カバー１６を背フレーム１４に固定する手段としては、上部１６ｂの外側板１６ｂ″の左右両端部を背フレーム１４のアッパーメンバー２１にビス４６で固定すること、サイド部１６ｂの内側板１４ａ″をビス４６でサイドメンバー２０の内面に締結すること、下部１６ｃに前向き突設したブラケット片４７をロアメンバー２２の下面にビス４６で締結すること、を採用している。勿論、係合爪を利用したキャッチ方式等の他の方式を採用することも可能である。
【００５６】
既述のとおり裏カバー１６における上部１６ｂの外側板１６ｂ″は背フレーム１４のアッパーメンバー２０にビス４６で固定されているが、本実施形態の特徴として、図１１（Ａ）から理解できるように、裏カバー１６の上部１６ｂの外側板１６ｂ″が背インナーシェル１５におけるストッパー係合爪４０の上方に位置するように設定している。
【００５７】
これにより、裏カバー１６の上外側板１６ｂ″が背インナーシェル１５の上向き移動を阻止するストッパーの役割を果たしており、その結果、背インナーシェル１５は単に係合爪４０，４１，４２を背フレーム１４に嵌め入れただけであるのに離脱不能に保持されている。すなわち、簡単に組立できるにも拘わらず背インナーシェル１５を抜け不能に保持できる。
【００５８】
図１０（Ｃ）（Ｄ）や図１３に示すように、裏カバー１６の前面板は背フレーム１４の背面に当接又は近接している。
【００５９】
(5).まとめ
本実施形態において、左右の傾動フレーム２３と背フレーム１４とはそれぞれ別々に製造されてから、溶接によって組み立てられている。また、背フレーム１４も４つのメンバー２０〜２２で構成されていて各メンバー２０〜２２はそれぞれ個別に製造されてから溶接によって一体化している。
【００６０】
従って、背フレーム１４は全体として三次元的に曲がった複雑な形状でかつ係合穴３７，３８等が存在しているが、各メンバー２０〜２２は帯板を素材として型（例えば雄型と雌型）を使用したプレス加工によって容易に加工することができる。また、傾動フレーム２３は背フレーム１４の制約を受けることなく設計及び加工することができる。従って、あまり目立たないようになるべく内側に配置したり、或いは肘掛け装置５の取付けに利用することを容易に実現できるのである。
【００６１】
また、背インナーシェル１５は係合爪４０，４１，４２を背フレーム１９のサイドメンバー２０に落し込むことで極めてて簡単に取付けでき、しかも、背インナーシェル１５はその左右両側部のみがサイドメンバー２０で拘束されているに過ぎずに、背インナーシェル１５とアッパーメンバー２１及びロアメンバー２２との間には隙間が空いているため、着座した人の体圧によって後ろ側に逃げるように延び変形することが許容されており、このため高いフィット性を確保できる。
【００６２】
そして、背インナーシェル１５と背フレーム１４とが前後に重なっていても、背フレーム１４におけるサイドメンバー２０は外側板２０ｃの前後幅寸法Ｈ２が内側板２０ｂの前後幅寸法Ｈ１よりも小さいため、裏カバー１６と背インナーシェル１５との間隔Ｈ３（図１０（Ｂ）参照）は背もたれ４の側端において最も低くなり、すると、背もたれ４の全体としては左右両側部の前後幅寸法ができるだけ薄くなる。これにより、背もたれ４が厚ぼったく見えることを防止又は著しく抑制して、人にスッキリとした印象を与えている。裏カバー１６はサイドメンバー２０に重なっているため、裏カバー１６を取付けた状態であってもスッキリ感は確保されている。
【００６３】
人の体圧で背インナーシェル１５が後ろ側に大きく延び変形することを許容するには、アッパーメンバー２１及びロアメンバー２２と背インナーシェル１５との間隔は左右中間部に行くに従って大きくするのが好適であり、すると、仮に裏カバー１６が背インナーシェル１５の全体を覆っていると、裏カバー１６が後ろ側に大きく膨らんだ状態になって厚ぼったく見える虞がある。
【００６４】
これに対して本実施形態のように裏カバー１６を背フレーム１４と略相似形の四角形に形成すると、裏カバー１６及び背フレーム１４で囲われた内部に背インナーシェル１５（正確にはクロス１８）の背面が露出することで背もたれ４は全体的に薄い感じになるため、美観が一層優れている。
【００６５】
本実施形態の背フレーム１４は、ロアメンバー３５の上下幅寸法よりもサイドメンバー３２の左右幅寸法及びアッパーメンバー３３の上下幅寸法が小さくなっている。このため、全体としてスマートな感じになっており、かつ、補強部材３６を設けたことによってねじりに対する強度も確保されている。この点も本実施形態の利点の一つである。
【００６６】
(6).その他
本願発明は上記の実施形態の他にも様々に具体化できる。例えば背もたれがロッキングしない椅子にも適用できる。また、ロッキング椅子に適用する場合、ロッキング機構は各種のものを採用できる。
【００６７】
背フレームは正面視でおおむね四角形であれば良く、従って、台形又は逆台形であっても良い。背フレームは例えば１枚の鋼板を材料にしてプレス加工で一体物に加工することも可能である。傾動フレームは単一構造体とすることも可能である。また、背フレームの各構成メンバーのうち全部又は一部を角パイプやＣ形チャンネル材で構成することとも可能である。
【図面の簡単な説明】
【００６８】
【図１】（Ａ）は本願発明の実施形態に係る椅子を前方から見た斜視図、（Ｂ）は背もたれの概略平面図である。
【図２】（Ａ）は正面図、（Ｂ）は側面図である。
【図３】座を中心にした箇所の分離斜視図である。
【図４】背フレームの取付け構造を示す斜視図である。
【図５】機構部の分離斜視図である。
【図６】（Ａ）は背フレームと補強部材との分離斜視図、（Ｂ）は補強部材を前から見た斜視図である。
【図７】（Ａ）は背フレームと背インナーシェルとの分離斜視図、（Ｂ）は上係合爪の斜視図である。
【図８】背フレームの構造を示す図である。
【図９】背フレームと背インナーシェルとの分離斜視図である。
【図１０】（Ａ）は背もたれの平断面図、（Ｂ）は（Ａ）の部分的な拡大図、（Ｃ）（Ｄ）は組立後における図９（Ａ）の XC-XC視断面図、 XD-XD視断面図である。
【図１１】（Ａ）は背もたれの上部のみの図１０の XIA-XIA視断面図、（Ｂ）は背もたれの下部のみの図１０の XIA-XIA視断面図でかつ組み立て後における図９の XIB-XIB視断面図（Ｃ）は背もたれの下部のみの図１０の XIC-XIC視断面図である。
【図１２】背フレームと裏カバーとの分離斜視図である。
【図１３】（Ａ）は背フレームの左右中間部でかつ上部の縦断側面図、（Ｂ）は図１０の下部の XIIIB-XIIIB視断面図である。
【符号の説明】
【００６９】
１  脚装置
２  ベース
３  座
４  背もたれ
１４  背フレーム
１５  背板の一例としての樹脂製の背インナーシェル
１６  裏カバー
２３  傾動フレーム
２０  背フレームのサイドメンバー
２０ａ  前面板
２０ｂ  内側板
２０ｃ  外側板
２１  背フレームのアッパーメンバー
２２  背フレームのロアメンバー
【図１】
2008302060.tif 000003
【図２】
2008302060.tif 000004
【図３】
2008302060.tif 000005
【図４】
2008302060.tif 000006
【図５】
2008302060.tif 000007
【図６】
2008302060.tif 000008
【図７】
2008302060.tif 000009
【図８】
2008302060.tif 000010
【図９】
2008302060.tif 000011
【図１０】
2008302060.tif 000012
【図１１】
2008302060.tif 000013
【図１２】
2008302060.tif 000014
【図１３】
2008302060.tif 000015